(57)【要約】【課題】  装置本体の構成を変更することなく着脱リングの遮光カバーに対する位置決め精度の向上を図る。【解決手段】  螺溝部が形成されたフード取付部が設けられた外筐と外筐の内部に配置されたレンズユニットとを有する装置本体と、フード取付部に着脱可能とされレンズユニットに対する光の入射を制限するレンズフードとを備え、レンズフードに、レンズユニットに入射される光を透過させる入射孔を有する遮光カバーと、遮光カバーに対して回転されフード取付部の螺溝部に螺合される螺合部を有する着脱リングとが設けられ、着脱リングに位置決め突部が設けられ、遮光カバーに、レンズフードがフード取付部に着脱されるときに位置決め突部とフード取付部の間に位置される弾性片が設けられ、螺合部が螺溝部に螺合されてレンズフードがフード取付部に取り付けられるときに弾性片が装置本体に接触されて位置決め突部側へ弾性変形され位置決め突部が弾性片に係合されて着脱リングの回転が規制されるようにした。【選択図】        図１３
2013137463.tif 000002
【特許請求の範囲】
【請求項１】
螺溝部が形成されたフード取付部が設けられた外筐と前記外筐の内部に配置されたレンズユニットとを有する装置本体と、
前記フード取付部に着脱可能とされ前記レンズユニットに対する光の入射を制限するレンズフードとを備え、
前記レンズフードに、前記レンズユニットに入射される光を透過させる入射孔を有する遮光カバーと、前記遮光カバーに対して回転され前記フード取付部の螺溝部に螺合される螺合部を有する着脱リングとが設けられ、
前記着脱リングに位置決め突部が設けられ、
前記遮光カバーに、前記レンズフードが前記フード取付部に着脱されるときに前記位置決め突部と前記フード取付部の間に位置される弾性片が設けられ、
前記螺合部が前記螺溝部に螺合されて前記レンズフードが前記フード取付部に取り付けられるときに前記弾性片が前記装置本体に接触されて前記位置決め突部側へ弾性変形され前記位置決め突部が前記弾性片に係合されて前記着脱リングの回転が規制されるようにした
撮像装置。
【請求項２】
前記レンズフードの前記フード取付部に対する取付方向における前記位置決め突部と前記弾性片の係合量が、前記レンズフードの前記フード取付部に対する取付時に前記着脱リングが一回転されるときの前記取付方向における前記着脱リングの前記フード取付部に対する移動量より小さくされた
請求項１に記載の撮像装置。
【請求項３】
前記遮光カバーの前記装置本体に対向する面にクッションが取り付けられた
請求項１に記載の撮像装置。
【請求項４】
前記位置決め突部に、前記弾性片に接触される係合面と前記着脱リングの回転方向において前記係合面の反対側に位置する傾斜面とを形成し、
前記傾斜面が前記位置決め突部の突出方向へ行くに従って前記係合面に近付くように傾斜された
請求項１に記載の撮像装置。
【請求項５】
前記位置決め突部が前記着脱リングに一体に形成された
請求項１に記載の撮像装置。
【請求項６】
前記弾性片が前記遮光カバーに一体に形成された
請求項１に記載の撮像装置。
【請求項７】
前記遮光カバーに光又は音声を通過させる通過孔が形成され、
前記着脱リングに、前記位置決め突部が前記弾性片に係合されて前記着脱リングの回転が規制されたときに前記通過孔に一致される通過用切欠が形成された
請求項１に記載の撮像装置。
【請求項８】
前記着脱リングに、回転時に指を掛ける指掛け部が設けられた
請求項１に記載の撮像装置。
【請求項９】
前記指掛け部が周方向に離隔して複数設けられた
請求項８に記載の撮像装置。
【請求項１０】
前記指掛け部が前記着脱リングの回転方向に直交する方向へ突出する突状に形成された
請求項８に記載の撮像装置。
【請求項１１】
螺溝部が形成されたフード取付部が設けられた外筐と前記外筐の内部に配置されたレンズユニットとを有する装置本体の前記フード取付部に着脱可能とされ、
前記レンズユニットに入射される光を透過させる入射孔を有し前記レンズユニットに対する光の入射を制限する遮光カバーと、
前記遮光カバーに対して回転され前記フード取付部の螺溝部に螺合される螺合部を有する着脱リングとを備え、
前記着脱リングに位置決め突部が設けられ、
前記遮光カバーに、前記レンズフードが前記フード取付部に着脱されるときに前記位置決め突部と前記フード取付部の間に位置される弾性片が設けられ、
前記螺合部が前記螺溝部に螺合されて前記レンズフードが前記フード取付部に取り付けられるときに前記弾性片が前記装置本体に接触されて弾性変形され前記位置決め突部が前記弾性片に係合されて前記着脱リングの回転が規制されるようにした
レンズフード。
【発明の詳細な説明】
【技術分野】
【０００１】
本技術は撮像装置及びレンズフードについての技術分野に関する。詳しくは、レンズフードの遮光カバーと着脱リングにそれぞれ装置本体に接触されて弾性変形される弾性片と弾性片に係合される位置決め突部を設けて装置本体の構成を変更することなく着脱リングの遮光カバーに対する位置決め精度の向上を図る技術分野に関する。
【背景技術】
【０００２】
ビデオカメラやスチルカメラ等の撮像装置には、装置本体におけるレンズユニットのレンズに対する光の入射を制限するレンズフードを備えたものがある（例えば、特許文献１参照）。レンズフードは装置本体に設けられたフード取付部に着脱可能とされている。
【０００３】
このような撮像装置にはフード取付部に螺溝部が形成され、レンズフードに螺合部が形成され、螺合部が螺溝部に螺合されてレンズフードがフード取付部に取り付けられるタイプがある。
【０００４】
上記のようなタイプの撮像装置にあっては、レンズフードがレンズユニットのレンズに対する光の入射を制限する遮光カバーと遮光カバーに対して回転される着脱リングとによって構成され、着脱リングに螺合部が形成され、着脱リングが回転されて螺溝部に螺合されることによりレンズフードが装置本体に取り付けられる。
【０００５】
遮光カバーにはレンズユニットに光を入射させるための入射孔の他に、とフラッシュの照明光、夜間撮影用の赤外光、スピーカーから出力される音声、マイクに入力される音声等を通過させる通過孔が形成され、着脱リングには照明光、赤外光、音声等を通過させる通過用切欠が形成されている。
【０００６】
着脱リングが回転されてレンズフードがフード取付部に取り付けられた状態においては、着脱リングに形成された通過用切欠が通過孔に一致されて照明光や赤外光や音声等が通過用切欠及び通過孔を介して入出力される。
【０００７】
【特許文献１】特開２０１１−２３７５９３号公報
【発明の開示】
【発明が解決しようとする課題】
【０００８】
上記のように、レンズフードのフード取付部への取付は着脱リングを回転させて螺溝部に螺合部が螺合されることにより行われる。従って、着脱リングの回転によりレンズフードがフード取付部に取り付けられた状態において、遮光カバーの通過孔に着脱リングの通過用切欠が一致されるように各部の寸法や形状等が設計されている。
【０００９】
ところが、レンズフードや装置本体は構造物であるため、各部の加工精度によってはレンズフードがフード取付部に取り付けられた状態において、通過孔に対して通過用切欠の位置がずれてしまい光や音声の通過に支障を来たすおそれがある。
【００１０】
そこで、通過孔に対する通過用切欠の位置ずれを防止して光や音声の通過に支障を来たすことがないようにするために、通過用切欠を大きくすることが考えられるが、この場合には着脱リングの剛性の低下を来たし着脱リングの回転の円滑化が阻害されるおそれがある。
【００１１】
また、通過用切欠を大きくすると、その分、着脱リングにおいて回転時に指を掛ける面積が小さくなってしまい。回転操作を行い難くなってしまう。
【００１２】
一方、遮光カバーの通過孔に着脱リングの通過用切欠を一致させるための位置決め構造を装置本体に設けることも考えられるが、装置本体に位置決め構造を設ける場合には装置本体の構造の設計を見直す必要があり製造コストの高騰を来たしてしまう。
【００１３】
そこで、本技術撮像装置及びレンズフードは、上記した問題点を克服し、装置本体の構成を変更することなく着脱リングの遮光カバーに対する位置決め精度の向上を図ることを課題とする。
【課題を解決するための手段】
【００１４】
第１に、撮像装置は、上記した課題を解決するために、螺溝部が形成されたフード取付部が設けられた外筐と前記外筐の内部に配置されたレンズユニットとを有する装置本体と、前記フード取付部に着脱可能とされ前記レンズユニットに対する光の入射を制限するレンズフードとを備え、前記レンズフードに、前記レンズユニットに入射される光を透過させる入射孔を有する遮光カバーと、前記遮光カバーに対して回転され前記フード取付部の螺溝部に螺合される螺合部を有する着脱リングとが設けられ、前記着脱リングに位置決め突部が設けられ、前記遮光カバーに、前記レンズフードが前記フード取付部に着脱されるときに前記位置決め突部と前記フード取付部の間に位置される弾性片が設けられ、前記螺合部が前記螺溝部に螺合されて前記レンズフードが前記フード取付部に取り付けられるときに前記弾性片が前記装置本体に接触されて前記位置決め突部側へ弾性変形され前記位置決め突部が前記弾性片に係合されて前記着脱リングの回転が規制されるようにしたものである。
【００１５】
従って、撮像装置にあっては、レンズフードがフード取付部に取り付けられたときに、装置本体に接触されて弾性変形された弾性片によって着脱リングの回転が規制され着脱リングが遮光カバーに対して所定の位置に位置決めされる。
【００１６】
第２に、上記した撮像装置においては、前記レンズフードの前記フード取付部に対する取付方向における前記位置決め突部と前記弾性片の係合量が、前記レンズフードの前記フード取付部に対する取付時に前記着脱リングが一回転されるときの前記取付方向における前記着脱リングの前記フード取付部に対する移動量より小さくされることが望ましい。
【００１７】
位置決め突部と弾性片の係合量が、着脱リングが一回転されるときの着脱リングのフード取付部に対する移動量より小さくされることにより、着脱リングがフード取付部に取り付けられるときの着脱リングの最後の一回転より前の回転時には、着脱リングが弾性片に接しない。
【００１８】
第３に、上記した撮像装置においては、前記遮光カバーの前記装置本体に対向する面にクッションが取り付けられることが望ましい。
【００１９】
遮光カバーの装置本体に対向する面にクッションが取り付けられることにより、クッションによって着脱リングのフード取付部に対する取付方向における位置のバラツキが吸収される。
【００２０】
第４に、上記した撮像装置においては、前記位置決め突部に、前記弾性片に接触される係合面と前記着脱リングの回転方向において前記係合面の反対側に位置する傾斜面とを形成し、前記傾斜面が前記位置決め突部の突出方向へ行くに従って前記係合面に近付くように傾斜されることが望ましい。
【００２１】
位置決め突部に傾斜面を形成し、傾斜面が位置決め突部の突出方向へ行くに従って係合面に近付くように傾斜されることにより、レンズフードの装置本体からの取外時に位置決め突部が弾性片に接触したときに傾斜面が弾性片に摺動される。
【００２２】
第５に、上記した撮像装置においては、前記位置決め突部が前記着脱リングに一体に形成されることが望ましい。
【００２３】
位置決め突部が着脱リングに一体に形成されることにより、位置決め突部の着脱リングへの取付が不要になる。
【００２４】
第６に、上記した撮像装置においては、前記弾性片が前記遮光カバーに一体に形成されることが望ましい。
【００２５】
弾性片が遮光カバーに一体に形成されることにより、弾性片の遮光カバーへの取付が不要になる。
【００２６】
第７に、上記した撮像装置においては、前記遮光カバーに光又は音声を通過させる通過孔が形成され、前記着脱リングに、前記位置決め突部が前記弾性片に係合されて前記着脱リングの回転が規制されたときに前記通過孔に一致される通過用切欠が形成されることが望ましい。
【００２７】
遮光カバーに光又は音声を通過させる通過孔が形成され、着脱リングに、位置決め突部が弾性片に係合されて着脱リングの回転が規制されたときに通過孔に一致される通過用切欠が形成されることにより、通過孔及び通過用切欠を介して光又は音声が入出力される。
【００２８】
第８に、上記した撮像装置においては、前記着脱リングに、回転時に指を掛ける指掛け部が設けられることが望ましい。
【００２９】
着脱リングに、回転時に指を掛ける指掛け部が設けられることにより、指掛け部に指が宛われて着脱リングが回転される。
【００３０】
第９に、上記した撮像装置においては、前記指掛け部が周方向に離隔して複数設けられることが望ましい。
【００３１】
指掛け部が周方向に離隔して複数設けられることにより、着脱リングの回転位置に拘わらず、指掛け部に指が宛われて着脱リングが回転される。
【００３２】
第１０に、上記した撮像装置においては、前記指掛け部が前記着脱リングの回転方向に直交する方向へ突出する突状に形成されることが望ましい。
【００３３】
指掛け部が着脱リングの回転方向に直交する方向へ突出する突状に形成されることにより、指掛け部が補強リブとして機能し着脱リングの剛性が高くされる。
【００３４】
レンズフードは、上記した課題を解決するために、螺溝部が形成されたフード取付部が設けられた外筐と前記外筐の内部に配置されたレンズユニットとを有する装置本体の前記フード取付部に着脱可能とされ、前記レンズユニットに入射される光を透過させる入射孔を有し前記レンズユニットに対する光の入射を制限する遮光カバーと、前記遮光カバーに対して回転され前記フード取付部の螺溝部に螺合される螺合部を有する着脱リングとを備え、前記着脱リングに位置決め突部が設けられ、前記遮光カバーに、前記レンズフードが前記フード取付部に着脱されるときに前記位置決め突部と前記フード取付部の間に位置される弾性片が設けられ、前記螺合部が前記螺溝部に螺合されて前記レンズフードが前記フード取付部に取り付けられるときに前記弾性片が前記装置本体に接触されて弾性変形され前記位置決め突部が前記弾性片に係合されて前記着脱リングの回転が規制されるようにしたものである。
【００３５】
従って、レンズフードにあっては、フード取付部に取り付けられたときに、装置本体に接触されて弾性変形された弾性片によって着脱リングの回転が規制され着脱リングが遮光カバーに対して所定の位置に位置決めされる。
【発明の効果】
【００３６】
本技術撮像装置は、螺溝部が形成されたフード取付部が設けられた外筐と前記外筐の内部に配置されたレンズユニットとを有する装置本体と、前記フード取付部に着脱可能とされ前記レンズユニットに対する光の入射を制限するレンズフードとを備え、前記レンズフードに、前記レンズユニットに入射される光を透過させる入射孔を有する遮光カバーと、前記遮光カバーに対して回転され前記フード取付部の螺溝部に螺合される螺合部を有する着脱リングとが設けられ、前記着脱リングに位置決め突部が設けられ、前記遮光カバーに、前記レンズフードが前記フード取付部に着脱されるときに前記位置決め突部と前記フード取付部の間に位置される弾性片が設けられ、前記螺合部が前記螺溝部に螺合されて前記レンズフードが前記フード取付部に取り付けられるときに前記弾性片が前記装置本体に接触されて前記位置決め突部側へ弾性変形され前記位置決め突部が前記弾性片に係合されて前記着脱リングの回転が規制されるようにしている。
【００３７】
従って、装置本体の構成を変更することなく、着脱リングの遮光カバーに対する位置決め精度の向上を図ることができる。
【００３８】
請求項２に記載した技術にあっては、前記レンズフードの前記フード取付部に対する取付方向における前記位置決め突部と前記弾性片の係合量が、前記レンズフードの前記フード取付部に対する取付時に前記着脱リングが一回転されるときの前記取付方向における前記着脱リングの前記フード取付部に対する移動量より小さくされている。
【００３９】
従って、着脱リングの回転に支障を来すことなく着脱リングをフード取付部に確実に取り付けることができる。
【００４０】
請求項３に記載した技術にあっては、前記遮光カバーの前記装置本体に対向する面にクッションが取り付けられている。
【００４１】
従って、レンズフードをフード取付部にガタツキが生じない安定した状態で取り付けることができる。
【００４２】
請求項４に記載した技術にあっては、前記位置決め突部に、前記弾性片に接触される係合面と前記着脱リングの回転方向において前記係合面の反対側に位置する傾斜面とを形成し、前記傾斜面が前記位置決め突部の突出方向へ行くに従って前記係合面に近付くように傾斜されている。
【００４３】
従って、レンズフードの装置本体からの取外時に着脱リングの円滑な回転動作を保持することができ、レンズフードを装置本体から確実に取り外すことができる。
【００４４】
請求項５に記載した技術にあっては、前記位置決め突部が前記着脱リングに一体に形成されている。
【００４５】
従って、部品点数の削減による製造コストの低減を図ることができる。
【００４６】
請求項６に記載した技術にあっては、前記弾性片が前記遮光カバーに一体に形成されている。
【００４７】
従って、部品点数の削減による製造コストの低減を図ることができる。
【００４８】
請求項７に記載した技術にあっては、前記遮光カバーに光又は音声を通過させる通過孔が形成され、前記着脱リングに、前記位置決め突部が前記弾性片に係合されて前記着脱リングの回転が規制されたときに前記通過孔に一致される通過用切欠が形成されている。
【００４９】
従って、通過孔及び通過用切欠を介して光又は音声を出力を減じることなく通過させることができる。
【００５０】
請求項８に記載した技術にあっては、前記着脱リングに、回転時に指を掛ける指掛け部が設けられている。
【００５１】
従って、着脱リングの回転操作を容易に行うことができる。
【００５２】
請求項９に記載した技術にあっては、前記指掛け部が周方向に離隔して複数設けられている。
【００５３】
従って、着脱リングの回転位置に拘わらず着脱リングの回転操作を容易に行うことができる。
【００５４】
請求項１０に記載した技術にあっては、前記指掛け部が前記着脱リングの回転方向に直交する方向へ突出する突状に形成されている。
【００５５】
従って、指掛け部が補強リブとして機能し着脱リングの剛性が高くされ、着脱リングの回転時に着脱リングが指で押圧されても撓み難く、着脱リングの回転操作を円滑に行うことができる。
【００５６】
本技術レンズフードは、螺溝部が形成されたフード取付部が設けられた外筐と前記外筐の内部に配置されたレンズユニットとを有する装置本体の前記フード取付部に着脱可能とされ、前記レンズユニットに入射される光を透過させる入射孔を有し前記レンズユニットに対する光の入射を制限する遮光カバーと、前記遮光カバーに対して回転され前記フード取付部の螺溝部に螺合される螺合部を有する着脱リングとを備え、前記着脱リングに位置決め突部が設けられ、前記遮光カバーに、前記レンズフードが前記フード取付部に着脱されるときに前記位置決め突部と前記フード取付部の間に位置される弾性片が設けられ、前記螺合部が前記螺溝部に螺合されて前記レンズフードが前記フード取付部に取り付けられるときに前記弾性片が前記装置本体に接触されて弾性変形され前記位置決め突部が前記弾性片に係合されて前記着脱リングの回転が規制されるようにしている。
【００５７】
従って、装置本体の構成を変更することなく、着脱リングの遮光カバーに対する位置決め精度の向上を図ることができる。
【発明を実施するための最良の形態】
【００５８】
以下に、本技術撮像装置及びレンズフードを実施するための最良の形態を添付図面に従って説明する。
【００５９】
以下に示した最良の形態は、本技術撮像装置をビデオカメラに適用し、本技術撮像装置をこのビデオカメラにおけるレンズフードに適用したものである。
【００６０】
尚、本技術撮像装置及びレンズフードの適用範囲はそれぞれビデオカメラ及びビデオカメラにおけるレンズフードに限られることはない。本技術撮像装置及びレンズフードは、例えば、スチルカメラ等の他の撮像装置又はこれらの撮像装置におけるレンズフードに広く適用することができる。
【００６１】
以下の説明にあっては、ビデオカメラの撮影時において撮影者から見た方向で前後上下左右の方向を示すものとする。従って、被写体側が前方となり、撮影者側が後方となる。
【００６２】
尚、以下に示す前後上下左右の方向は説明の便宜上のものであり、本技術の実施に関しては、これらの方向に限定されることはない。
【００６３】
［撮像装置の構成］
撮像装置１は装置本体２と装置本体２に着脱されるレンズフード５０とを有している（図１及び図２参照）。
【００６４】
装置本体２は外筐３の内外に所要の各部が配置されて成る。外筐３は、例えば、縦長のケース状に形成され、前端部がフロントパネル部４として設けられ、後端部における上端部が後方に開口された収納ケース部５として設けられている。
【００６５】
外筐３の上面３ａにはマイクロフォン６、６、インターフェースカバー７及び操作スイッチ８、８が前側から順に配置されている。操作スイッチ８、８は、例えば、ズームレバーと撮影釦である。
【００６６】
外筐３の一方の側面３ｂには電源釦、画像再生釦等の各種の操作釦９、９、・・・が配置されている。外筐３の一方の側面３ｂにはメモリーカード１０が装着される。
【００６７】
外筐３の後面３ｃにはモード切替釦や録画釦等の操作釦１１、１１が配置されている。
【００６８】
外筐３の後面にはバッテリー１２が装着され、バッテリー１２は一部が外筐３の後面３ｃより後方へ突出される。
【００６９】
フロントパネル部４は略円環状に形成され、前面部１３と前面部１３の外周縁から後方へ突出された外周面部１４と前面部１３の内周縁から後方へ突出されたフード取付部１５とフード取付部１５の後縁から内方へ張り出された円環状の内フランジ部１６とを有している。フード取付部１５の内周面には螺溝部１５ａが形成されている。
【００７０】
フロントパネル部４には外形が円形状に形成された枠部１７が設けられ、枠部１７には矩形の開口１７ａが形成されている。枠部１７は外周部が内フランジ部１６の後縁に連続されている。
【００７１】
フロントパネル部４の上端部にはフラッシュ１８が配置されている。フラッシュ１８は夜間撮影時等に用いられ、フラッシュ１８からは補助光が前方へ向けて出射される。
【００７２】
外筐３の側面部には表示部１９が回動自在かつ回転自在に連結されている。表示部１９は前端部が外筐３に連結され、表示面１９ａを有している。
【００７３】
装置本体２の後端部にはファインダー２０が連結され、ファインダー２０は収納ケース部５に対して前後方向へスライド可能とされている。
【００７４】
ファインダー２０は、図３乃至図５に示すように、前後方向に延びるスライド支持部２１とスライド支持部２１の後端部に取り付けられた接眼枠部２２とを有している。スライド支持部２１の上面には操作部２３として、例えば、視度調整用ダイヤルが配置されている。
【００７５】
ファインダー２０は接眼枠部２２を除いた部分が収納ケース部５に収納される収納位置（図３参照）とスライドされて収納ケース部５から引き出される引出位置（図４参照）との間でスライド可能とされている。また、ファインダー２０は引出位置においてスライド支持部２１の前端部を支点としてチルト方向へ回動可能とされている（図５参照）。
【００７６】
外筐３の内部にはレンズユニット２４が配置されている（図１参照）。レンズユニット２４は鏡筒と鏡筒の内部に配置された複数のレンズとを有している。
【００７７】
レンズフード５０は遮光カバー５１と着脱リング５２によって構成されている（図６及び図７参照）。
【００７８】
遮光カバー５１は前側キャビネット５３と後側キャビネット５４が、例えば、ネジ止め等によって前後で結合されて成る。
【００７９】
前側キャビネット５３は前後方向を向くベース面部５５とベース面部５５の外周部から略前方へ突出された周面部５６とから成る。ベース面部５５には開口面積の大きな第１の入射孔５５ａと第１の入射孔５５ａの上側に位置する第１の通過孔５５ｂとが形成されている。
【００８０】
後側キャビネット５４は前後方向を向く基面部５７と基面部５７の外周部から略前方へ突出された周状部５８とから成る。基面部５７には円形状の第２の入射孔５７ａと第２の入射孔５７ａの上側に連続する第２の通過孔５７ｂとが形成されている。
【００８１】
基面部５７の内周部は内方へ張り出されたフランジ状に形成されたリング支持部５９として設けられている（図８参照）。リング支持部５９には一部が切り欠かれることにより弾性片６０が一体に設けられている。弾性片６０は周方向に延びる変形部６０ａと変形部６０ａの先端（下端）に連続する規制部６０ｂとから成る。弾性片６０は略前後方向へ弾性変形可能とされている。
【００８２】
弾性片６０は弾性変形されていない状態において、規制部６０ｂに近付くに従って後方へ変位するように稍傾斜されている。
【００８３】
リング支持部５９の後面には、周方向に離隔して複数のクッション６１、６１、６１が取り付けられている。
【００８４】
上記のように、レンズフード５０にあっては、弾性片６０が遮光カバー５１の後側キャビネット５４に一体に形成されているため、部品点数の削減による製造コストの低減を図ることができる。
【００８５】
着脱リング５２は円環状の被取付部６２と被取付部６２の前端部における上端部を除いた部分から外方へ張り出された回転操作部６３とが一体に形成されて成る（図９参照）。
【００８６】
被取付部６２の外周面には螺合部６２ａが形成されている。
【００８７】
回転操作部６３は円弧状に形成され、回転操作部６３の上端部に形成された切欠が通過用切欠６３ａとして形成されている。回転操作部６３には前面側に指掛け部６３ｂ、６３ｂ、・・・が周方向において等間隔に離隔して設けられている。指掛け部６３ｂ、６３ｂ、・・・は半径方向に延びる状態で前方へ突出されている。
【００８８】
回転操作部６３の後面には後方へ突出された位置決め突部６４が一体に設けられている。位置決め突部６４には、後方を向く平面６４ａと、平面６４ａの周方向における一方の端縁に連続し平面６４ａに略直交する係合面６４ｂと、平面６４ａの周方向における他方の端縁に連続し前方へ行くに従って平面６４ａから離隔する傾斜面６４ｃとを有している。
【００８９】
上記のように、レンズフード５０にあっては、位置決め突部６４が着脱リング５２の被取付部６２に一体に形成されているため、部品点数の削減による製造コストの低減を図ることができる。
【００９０】
着脱リング５２は回転操作部６３が後側キャビネット５４のリング支持部５９の前面に対向して配置された状態で前側キャビネット５３と後側キャビネット５４が前後で結合されることにより、遮光カバー５１に回転自在に支持される。着脱リング５２が遮光カバー５１に支持された状態においては、被取付部６２が後側キャビネット５４の第２の入射孔５７ａの外周部から後方へ突出され、回転操作部６３が前側キャビネット５３の第１の入射孔５５ａの外周部の後側に位置されて回転操作部６３に対する前方からの操作が可能とされている（図１０参照）。
【００９１】
［撮像装置におけるレンズフードの着脱動作］
以下に、撮像装置１におけるレンズフード５０の装置本体２に対する着脱動作について説明する（図１１乃至図１５参照）。尚、着脱動作に関する図１１乃至図１５は、理解を容易にするために構造を簡素化して示している。
【００９２】
レンズフード５０の装置本体２への取付は、先ず、着脱リング５２の被取付部６２をフロントパネル部４のフード取付部１５に押し当てる。このとき遮光カバー５１の第１の入射孔５５ａと第２の入射孔５５ｂがフラッシュ１８の真正面に位置される。
【００９３】
次に、遮光カバー５１に対して着脱リング５２を回転させる。着脱リング５２の回転は、指を回転操作部６３に設けられた指掛け部６３ｂ、６３ｂ、・・・に宛うことにより行う。
【００９４】
このように着脱リング５２には指掛け部６３ｂ、６３ｂ、・・・が設けられているため、着脱リング５２の回転操作を容易に行うことができる。
【００９５】
また、指掛け部６３ｂ、６３ｂ、・・・が周方向に離隔して複数設けられているため、着脱リング５２の回転位置に拘わらず着脱リング５２の回転操作を容易に行うことができる。
【００９６】
さらに、指掛け部６３ｂ、６３ｂ、・・・が着脱リング５２の回転方向に直交する方向へ突出された突状に形成されているため、指掛け部６３ｂ、６３ｂ、・・・が補強リブとして機能し着脱リング５２の剛性が高くされている。
【００９７】
従って、着脱リング５２の回転時に着脱リング５２が指で押圧されても撓み難く、着脱リング５２の回転操作を円滑に行うことができる。
【００９８】
着脱リング５２が遮光カバー５１に対して回転されていくと、螺合部６２ａがフード取付部１５の螺溝部１５ａに螺合され着脱リング５２がフード取付部１５に結合されていき、着脱リング５２及び遮光カバー５１が着脱リング５２の回転に伴って後方へ移動されていく（図１１参照）。このとき遮光カバー５１の後側キャビネット５４に設けられた弾性片６０は弾性変形されておらず、着脱リング５２に設けられた位置決め突部６４は弾性片６０の前方において移動され弾性片６０とは接触されない。
【００９９】
さらに着脱リング５２が遮光カバー５１に対して回転されていくと、さらに螺合部６２ａが螺溝部１５ａに螺合され着脱リング５２がフード取付部１５に結合されていき、着脱リング５２及び遮光カバー５１がさらに着脱リング５２の回転に伴って後方へ移動される（図１２参照）。このとき弾性片６０の規制部６０ｂが外筐３の前面に接触され、変形部６０ａが変形されて規制部６０ｂが前方へ移動される。
【０１００】
引き続き着脱リング５２が遮光カバー５１に対して回転されると、着脱リング５２における位置決め突部６４の係合面６４ｂが弾性片６０の規制部６０ｂに係合されて着脱リング５２の回転が規制される（図１３参照）。
【０１０１】
着脱リング５２の回転が規制されて停止された状態においては、遮光カバー５１の第１の通過孔５５ｂと第２の通過孔５７ｂに着脱リング５２の通過用切欠６３ａが一致される。
【０１０２】
上記した位置決め突部６４における係合面６４ｂの弾性片６０における規制部６０ｂへの係合は、着脱リング５２がフード取付部１５に取り付けられるときの最後の一回転において行われる。
【０１０３】
即ち、レンズフード５０にあっては、フード取付部１５に対する取付方向（前後方向）における位置決め突部６４ｂと弾性片６０の係合量（図１３に示すＬ）が、着脱リング５２が一回転されるときの取付方向における着脱リング５２のフード取付部１５に対する移動量（１ピッチ）より小さくされている。
【０１０４】
従って、着脱リング５２がフード取付部１５に取り付けられるときの着脱リング５２の最後の一回転より前の回転時には、着脱リング５２が弾性片６０に接することなく円滑に着脱リング５２が回転され、着脱リング５２の回転に支障を来すことなく着脱リング５２をフード取付部１５に確実に取り付けることができる。
【０１０５】
また、着脱リング５２のフード取付部１５への取付時に着脱リング５２が弾性片６０に接する直前においては、クッション６１、６１、６１が弾性変形され、着脱リング５２のフード取付部１５に対する取付方向における位置のバラツキが吸収される。
【０１０６】
従って、レンズフード５０をフード取付部１５にガタツキが生じない安定した状態で取り付けることができる。
【０１０７】
レンズフード５０の装置本体２からの取り外しは、着脱リング５２を取付時とは反対方向へ回転させることにより行うことができる。この取外時の着脱リング５２の回転操作も指を指掛け部６３ｂ、６３ｂ、・・・に宛って行うことにより、回転操作を容易に行うことができる。
【０１０８】
尚、レンズフード５０を装置本体２から取り外すときに、各部の寸法精度等によって、万が一、着脱リング５２の位置決め突部６４が遮光カバー５１の弾性片６０に接するおそれがある。この場合には、位置決め突部６４の傾斜面６４ｃが弾性片６０の規制部６０ｂに摺動され（図１４参照）、続いて、弾性片６０が弾性変形されて位置決め突部６４の平面６４ａが規制部６０ｂに摺動される（図１５参照）。
【０１０９】
従って、レンズフード５０の装置本体２からの取外時に着脱リング５２の円滑な回転動作を保持することができ、レンズフード５０を装置本体２から確実に取り外すことができる。
【０１１０】
尚、上記には、位置決め突部６４に傾斜面６４ａを形成し着脱リング５２の回転を円滑に行う例を示したが、逆に、着脱リング５２の回転を円滑に行うために弾性片に傾斜面を形成することも可能である。
【０１１１】
［撮像装置の一実施形態］
図１６に、本技術撮像装置の一実施形態によるビデオカメラのブロック図を示す。
【０１１２】
撮像装置（ビデオカメラ）１００（撮像装置１に相当）は、撮像機能を担うカメラブロック７０と、撮影された画像信号のアナログ−デジタル変換等の信号処理を行うカメラ信号処理部７１と、画像信号の記録再生処理を行う画像処理部７２とを有している。また、撮像装置１００は、撮影された画像等を表示する液晶パネル等の画像表示部７３（表示部１９に相当）と、メモリーカード１０００（メモリーカード１０に相当）への画像信号の書込及び読出を行うＲ／Ｗ（リーダ／ライタ）７４と、撮像装置１００の全体を制御するＣＰＵ（Central Processing Unit）７５と、ユーザーによって所要の操作が行われる各種のスイッチ等から成る入力部７６（操作スイッチ８、操作釦９、操作釦１１、操作部２３に相当）と、カメラブロック７０に配置されたレンズの駆動を制御するレンズ駆動制御部７７とを備えている。
【０１１３】
カメラブロック７０は、レンズ群７８（レンズユニット２４に設けられたレンズ群に相当）を含む光学系や、ＣＣＤ（Charge Coupled Device）やＣＭＯＳ（Complementary Metal-Oxide Semiconductor）等の撮像素子７９等とによって構成されている。
【０１１４】
カメラ信号処理部７１は、撮像素子７９からの出力信号に対するデジタル信号への変換、ノイズ除去、画質補正、輝度・色差信号への変換等の各種の信号処理を行う。
【０１１５】
画像処理部７２は、所定の画像データーフォーマットに基づく画像信号の圧縮符号化・伸張復号化処理や解像度等のデーター仕様の変換処理等を行う。
【０１１６】
画像表示部７３はユーザーの入力部７６に対する操作状態や撮影した画像等の各種のデーターを表示する機能を有している。
【０１１７】
Ｒ／Ｗ７４は、画像処理部７２によって符号化された画像データーのメモリーカード１０００への書込及びメモリーカード１０００に記録された画像データーの読出を行う。
【０１１８】
ＣＰＵ７５は、撮像装置１００に設けられた各回路ブロックを制御する制御処理部として機能し、入力部７６からの指示入力信号等に基づいて各回路ブロックを制御する。
【０１１９】
入力部７６は、例えば、シャッター操作を行うためのシャッターレリーズボタンや、動作モードを選択するための選択スイッチ等によって構成され、ユーザーによる操作に応じた指示入力信号をＣＰＵ７５に対して出力する。
【０１２０】
レンズ駆動制御部７７は、ＣＰＵ７５からの制御信号に基づいてレンズ群７８の各レンズを駆動する図示しないモータ等を制御する。
【０１２１】
メモリーカード１０００は、例えば、Ｒ／Ｗ７４に接続されたスロットに対して着脱可能な半導体メモリーである。
【０１２２】
以下に、撮像装置１００における動作を説明する。
【０１２３】
撮影の待機状態では、ＣＰＵ７５による制御の下で、カメラブロック７０において撮影された画像信号が、カメラ信号処理部７１を介して画像表示部７３に出力され、カメラスルー画像として表示される。また、入力部７６からのズーミングのための指示入力信号が入力されると、ＣＰＵ７５がレンズ駆動制御部７７に制御信号を出力し、レンズ駆動制御部７７の制御に基づいてレンズ群７８の所定のレンズが移動される。
【０１２４】
入力部７６からの指示入力信号によりカメラブロック７０の図示しないシャッターが動作されると、撮影された画像信号がカメラ信号処理部７１から画像処理部７２に出力されて圧縮符号化処理され、所定のデーターフォーマットのデジタルデーターに変換される。変換されたデーターはＲ／Ｗ７４に出力され、メモリーカード１０００に書き込まれる。
【０１２５】
フォーカシングやズーミングは、ＣＰＵ７５からの制御信号に基づいてレンズ駆動制御部７７がレンズ群７８の所定のレンズを移動させることにより行われる。
【０１２６】
メモリーカード１０００に記録された画像データーを再生する場合には、入力部７６に対する操作に応じて、Ｒ／Ｗ７４によってメモリーカード１０００から所定の画像データーが読み出され、画像処理部７２によって伸張復号化処理が行われた後に、再生画像信号が画像表示部７３に出力されて再生画像が表示される。
【０１２７】
［まとめ］
以上に記載した通り、撮像装置１にあっては、レンズフード５０がフード取付部１５に取り付けられるときに、弾性片６０が装置本体２に接触されて弾性変形され位置決め突部６４が弾性片６０の規制部６０ｂに係合されて着脱リング５２の回転が規制される。
【０１２８】
従って、装置本体２の構成を変更することなく、着脱リング５２の遮光カバー５１に対する位置決め精度の向上を図ることができる。
【０１２９】
また、遮光カバー５１に、位置決め突部６４が弾性片６０に係合されて着脱リング５２の回転が規制されたときに、遮光カバー５１の第１の通過孔５５ｂと第２の通過孔５７ｂに一致される通過用切欠６３ａが形成されている。
【０１３０】
従って、第１の通過孔５５ｂ、第２の通過孔５７ｂ及び通過用切欠６３ａを介してフラッシュ１８から出射される光を光量を減じることなく通過させることができる。
【０１３１】
［その他］
上記には、装置本体２にフラッシュ１８が配置され、フラッシュ１８から出射される光が第１の通過孔５５ｂ、第２の通過孔５７ｂ及び通過用切欠６３ａを通過される例を示したが、撮像装置１においては、フラッシュ１８から出射される光が通過孔及び通過用切欠を通過されることに限られることはない。
【０１３２】
例えば、装置本体２にビデオライト、夜間照明用の赤外光出射部（ナイトフラッシュ）、リモートコントロール装置用の赤外線受光部、スピーカー、マイク等が設けられている場合には、これらに入出力される光や音声が通過孔及び通過用切欠を通過されるように構成されていてもよい。
【０１３３】
［本技術］
本技術は、以下のような構成にすることができる。
【０１３４】
（１）螺溝部が形成されたフード取付部が設けられた外筐と前記外筐の内部に配置されたレンズユニットとを有する装置本体と、前記フード取付部に着脱可能とされ前記レンズユニットに対する光の入射を制限するレンズフードとを備え、前記レンズフードに、前記レンズユニットに入射される光を透過させる入射孔を有する遮光カバーと、前記遮光カバーに対して回転され前記フード取付部の螺溝部に螺合される螺合部を有する着脱リングとが設けられ、前記着脱リングに位置決め突部が設けられ、前記遮光カバーに、前記レンズフードが前記フード取付部に着脱されるときに前記位置決め突部と前記フード取付部の間に位置される弾性片が設けられ、前記螺合部が前記螺溝部に螺合されて前記レンズフードが前記フード取付部に取り付けられるときに前記弾性片が前記装置本体に接触されて前記位置決め突部側へ弾性変形され前記位置決め突部が前記弾性片に係合されて前記着脱リングの回転が規制されるようにした撮像装置。
【０１３５】
（２）前記レンズフードの前記フード取付部に対する取付方向における前記位置決め突部と前記弾性片の係合量が、前記レンズフードの前記フード取付部に対する取付時に前記着脱リングが一回転されるときの前記取付方向における前記着脱リングの前記フード取付部に対する移動量より小さくされた前記（１）に記載の撮像装置。
【０１３６】
（３）前記遮光カバーの前記装置本体に対向する面にクッションが取り付けられた前記（１）又は前記（２）に記載の撮像装置。
【０１３７】
（４）前記位置決め突部に、前記弾性片に接触される係合面と前記着脱リングの回転方向において前記係合面の反対側に位置する傾斜面とを形成し、前記傾斜面が前記位置決め突部の突出方向へ行くに従って前記係合面に近付くように傾斜された前記（１）から前記（３）の何れかに記載の撮像装置。
【０１３８】
（５）前記位置決め突部が前記着脱リングに一体に形成された前記（１）から前記（４）の何れかに記載の撮像装置。
【０１３９】
（６）前記弾性片が前記遮光カバーに一体に形成された前記（１）から前記（５）の何れかに記載の撮像装置。
【０１４０】
（７）前記遮光カバーに光又は音声を通過させる通過孔が形成され、前記着脱リングに、前記位置決め突部が前記弾性片に係合されて前記着脱リングの回転が規制されたときに前記通過孔に一致される通過用切欠が形成された前記（１）から前記（６）の何れかに記載の撮像装置。
【０１４１】
（８）前記着脱リングに、回転時に指を掛ける指掛け部が設けられた前記（１）から前記（７）の何れかに記載の撮像装置。
【０１４２】
（９）前記指掛け部が周方向に離隔して複数設けられた前記（８）に記載の撮像装置。
【０１４３】
（１０）前記指掛け部が前記着脱リングの回転方向に直交する方向へ突出する突状に形成された前記（８）又は前記（９）に記載の撮像装置。
【０１４４】
（１１）螺溝部が形成されたフード取付部が設けられた外筐と前記外筐の内部に配置されたレンズユニットとを有する装置本体の前記フード取付部に着脱可能とされ、前記レンズユニットに入射される光を透過させる入射孔を有し前記レンズユニットに対する光の入射を制限する遮光カバーと、前記遮光カバーに対して回転され前記フード取付部の螺溝部に螺合される螺合部を有する着脱リングとを備え、前記着脱リングに位置決め突部が設けられ、前記遮光カバーに、前記レンズフードが前記フード取付部に着脱されるときに前記位置決め突部と前記フード取付部の間に位置される弾性片が設けられ、前記螺合部が前記螺溝部に螺合されて前記レンズフードが前記フード取付部に取り付けられるときに前記弾性片が前記装置本体に接触されて弾性変形され前記位置決め突部が前記弾性片に係合されて前記着脱リングの回転が規制されるようにしたレンズフード。
【０１４５】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１４６】
【図１】図２乃至図１６と共に本技術撮像装置及びレンズフードを示すものであり、本図は、撮像装置の斜視図である。
【図２】図１とは異なる方向から見た状態で示す撮像装置の斜視図である。
【図３】ファインダーが収納位置にある状態を示す拡大斜視図である。
【図４】ファインダーが引出位置にある状態を示す拡大斜視図である。
【図５】ファインダーが引出位置において回動された状態を示す拡大斜視図である。
【図６】レンズフードの分解斜視図である。
【図７】レンズフードの斜視図である。
【図８】レンズフードの後側キャビネットを示す拡大斜視図である。
【図９】レンズフードの着脱リングを示す拡大斜視図である。
【図１０】レンズフードがフード取付部に取り付けられた状態を示す正面図である。
【図１１】図１２乃至図１５と共にレンズフードの装置本体に対する着脱動作を示すものであり、本図は、レンズフードの装置本体への取付時に着脱リングが回転されている途中の状態を示す拡大断面図である。
【図１２】図１１に引き続き、遮光カバーの弾性片が装置本体に接触されて弾性変形された状態を示す拡大断面図である。
【図１３】図１２に引き続き、着脱リングの位置決め突部が弾性片に係合されて着脱リングの回転が規制された状態を示す拡大断面図である。
【図１４】レンズフードの装置本体からの取外時に位置決め突部の傾斜面が弾性片に接触された状態を示す拡大断面図である。
【図１５】図１４に引き続き、位置決め突部の平面が弾性片に摺動されている状態を示す拡大断面図である。
【図１６】撮像装置のブロック図である。
【符号の説明】
【０１４７】
１…撮像装置、２…装置本体、３…外筐、１５…フード取付部、１５ａ…螺溝部、２４…レンズユニット、５０…レンズフード、５１…遮光カバー、５２…着脱リング、５５ａ…第１の入射孔、５５ｂ…第１の通過孔、５７ａ…第２の入射孔、５７ｂ…第２の通過孔、６０…弾性片、６１…クッション、６２ａ…螺合部、６３ａ…通過用切欠、６３ｂ…指掛け部、６４…位置決め突部、６４ｂ…係合面、６４ｃ…傾斜面、１００…撮像装置
【図１】
2013137463.tif 000003
【図２】
2013137463.tif 000004
【図３】
2013137463.tif 000005
【図４】
2013137463.tif 000006
【図５】
2013137463.tif 000007
【図６】
2013137463.tif 000008
【図７】
2013137463.tif 000009
【図８】
2013137463.tif 000010
【図９】
2013137463.tif 000011
【図１０】
2013137463.tif 000012
【図１１】
2013137463.tif 000013
【図１２】
2013137463.tif 000014
【図１３】
2013137463.tif 000015
【図１４】
2013137463.tif 000016
【図１５】
2013137463.tif 000017
【図１６】
2013137463.tif 000018